(57)【要約】【課題】横向きの力を受けても先端部が倒れる虞れの実際上ない接点構造体及びこれを備えた電子時計を提供すること【解決手段】電子時計１の接点構造体８は、細長い剛性本体部７１を備えた剛性の導電性ピン７０と、このピン本体部７１の先端側部分が出入り可能に嵌合された小径孔部４５を有する枠体４０と、ピンの剛性本体部の先端側部分が小径孔部から突出する向きにピンを変位させるべくピンに弾性力を及ぼす弾性手段８０とを有する。典型的には、導電性ピン７０が、剛性本体部に加えて該本体部よりも大径の基端側係止部７２を備え、枠体４０が、小径孔部４５に加えてピンの大径係止部を収容する大径孔部４６を有し、大径孔部と小径孔部との段差部４７でピンの大径係止部７２に当接し、弾性手段８０が、ピンの基端側係止部７２に弾性力をＡ１方向に及ぼす。【選択図】    図４
2004347498.tif 000002
【特許請求の範囲】
【請求項１】
剛性本体部を備えた剛性の導電性ピンと、
前記導電性ピンの本体部の先端側部分が出入り可能に嵌合された孔部を有する枠体と、
前記導電性ピンの前記剛性本体部の先端側部分が前記孔部から突出する向きに前記導電性ピンを変位させるべく前記導電性ピンに弾性力を及ぼす弾性手段と
を有する接点構造体。
【請求項２】
前記導電性ピンが、前記剛性本体部よりも大径で該本体部の基端部分に一体的に連結された大径係止部を、更に有し、
前記枠体が、前記導電性ピンの前記大径係止部を収容する大径孔部と、該大径孔部と孔部とをつなぐ段差部であって前記導電性ピンの前記大径係止部に当接して前記導電性ピンの先端側部分の突出を規制するものとを、更に有し、
前記弾性手段が、前記導電性ピンの前記大径係止部に弾性力を及ぼすように構成されている請求項１に記載の接点構造体。
【請求項３】
前記弾性手段がコイルバネからなる請求項１又は２に記載の接点構造体。
【請求項４】
前記剛性ピンが、前記コイルバネの孔に嵌る小径軸部を前記大径係止部の基端側に有する請求項３に記載の接点構造体。
【請求項５】
前記弾性手段が板バネからなる請求項１又は２に記載の接点構造体。
【請求項６】
前記弾性手段が導電体からなる請求項１から５までのいずれか一つの項に記載の接点構造体。
【請求項７】
前記導電性ピンの剛性本体部の先端が、枠体の小径孔部の延在方向に対して交差する方向に、枠体に対して可動な対向電極に押付けられて電気的接触が確保される請求項１から６までのいずれか一つの項に記載の接点構造体。
【請求項８】
前記枠体が電池枠からなり、前記導電性ピンの前記剛性本体部の先端が裏蓋に固定された圧電素子の対向表面電極に接触するように構成された請求項１から７までのいずれか一つの項に記載の接点構造体を備えた電子時計。
【発明の詳細な説明】
【０００１】
【発明の属する技術分野】
本発明は接点構造体及びこれを備えた電子時計に係る。
【０００２】
【従来の技術】
腕時計のような小型の電子時計において、裏蓋の内面に圧電素子を貼着け、該圧電素子を可聴周波数の電気的駆動信号で振動することにより、圧電素子を振動させてブザー音等を出させることは知られている。圧電素子への駆動エネルギの供給のためには、腕時計の本体側から裏蓋の内面ないし対向面にある圧電素子の表面電極に対して電気的接触を確保する接点部材を延ばす必要がある。十分な振動・発音を行わせ得るように、圧電素子は、裏蓋のうちの半分以上の領域にわたって拡がっている。また、本体側において、交換が容易に行われ得るように裏蓋に近接したところに配設される電池は、その容量が最大限になるように、典型的には、本体のケース内の内径に対して半分以上の径を有する。従って、圧電素子の対向表面電極に対する接点部材は、電池の占有領域を避けるべく、ケースの中心軸線からずれた位置において、本体側から裏蓋に向かって突出する。
【０００３】
従来のこの種の電子時計では、接点部材としては、大きな接触圧を長期間確保し得るように、コイルバネが用いられている。例えば、図６に示したように、電池枠１０１のコイルバネ収容孔１０２に配設され一端１０３が回路基板１０４の表面１０４ａの電極に押付けられた導電性コイルバネ１０５は、裏蓋１０７の内面に一方の表面１０８ｂで貼着された圧電素子１０８の対向表面１０８ａの電極に対して、他端１０６（想像線）において押付けられる。
【０００４】
しかしながら、圧電素子１０８の表面１０８ａと電池枠１０１の対向表面１０１ａとの間には、圧電素子１０８の膜振動を可能にするための間隙Ｇ１があり、コイルバネ１０５がケース（図示せず）の中心軸線からずれたところにおいて裏蓋１０７の圧電素子１０８に向かって突出していることから、裏蓋１０７をケースに螺着すべく、裏蓋１０７を中心軸線のまわりでケースに対して回転させると、コイルバネ１０５の先端１０６が、実線１０６ａで示したように、裏蓋１０７の内面にある圧電素子１０８に摩擦係合して螺合回転方向Ｅ１に引っ張られる。その結果、コイルバネ１０５が端部１０６及びその近傍においてＥ１方向に倒れて間隙Ｇ１内に引き込まれて損傷を受けたり、他の回路部品に触れてショートしたりする虞れがある。また、場合によっては、圧電素子１０８の振動を妨げる虞れもある。端部１０６（１０６ａ）が損傷を受ける場合、例えば、裏蓋１０７の開閉が繰り返されると、コイルバネ１０５の先端１０６と圧電素子１０８の表面電極との間で所望の接触が得られ難くなる虞れもある。なお、端部１０６の引張りないし噛み込みに伴って、コイルバネ１０５の反対の端部１０３と回路基板１０４との電気的接触が不完全になる虞れもある。
【０００５】
このようなコイルバネ１０５の先端部１０６の噛み込みを避けることを目的として、コイルバネ１０５のうち電池枠１０１の裏蓋側表面１０１ａから突出する先端部分１０６を保護すべく、図７に示したように、該突出先端部１０６のまわりにおいて電池枠１０１にコイルバネガイド部として働く円筒状突起１０９を形成したり、コイルバネ収容孔１０２の圧電素子側開口部に円筒状部材（図示せず）を遊嵌させたりすることも提案されている（特許文献１参照）。なお、図７の従来例では、コイルバネ１０５の基端部１０３を延設してなる延設端部１０３ａを電池枠１０１と回路基板１０４との間に形成した凹部１０１ｂに係止させることにより、端部１０３が回路基板１０４から離れるのを防いでいる。
【０００６】
【特許文献１】
特開２００２−２１５１６６（第５−６頁、第１及び３図）
【０００７】
【発明が解決しようとする課題】
しかしながら、圧電素子は、膜振動すべきものであることから、圧電素子の表面とコイルバネの周囲の支持部との間に最低限の間隙Ｇ２を残しておくことは不可欠であり、裏蓋１０７をＥ１方向に回転させる際に、図７において想像線１０６ａで示したようなコイルバネ１０５の先端部１０６の引張りないし噛込みが生じるのを完全には防ぎ難い。
【０００８】
本発明は、前記した点に鑑みなされたものであり、その目的とするところは、横向きの力を受けても先端部が倒れる虞れの実際上ない接点構造体及びこれを備えた電子時計を提供することにある。
【０００９】
【課題を解決するための手段】
本発明の接点構造体は、前記目的を達成すべく、剛性本体部を備えた剛性の導電性ピンと、前記導電性ピンの本体部の先端側部分が出入り可能に嵌合された孔部を有する枠体と、前記導電性ピンの前記剛性本体部の先端側部分が前記孔部から突出する向きに前記導電性ピンを変位させるべく前記導電性ピンに弾性力を及ぼす弾性手段とを有する。
【００１０】
本発明の接点構造体では、「剛性本体部を備えた剛性の導電性ピンと該ピンの剛性本体部の先端側部分が孔部から突出する向きに前記導電性ピンを変位させる弾性手段と」が設けられているので、導電性ピンの先端部が該先端部に対向する電極に弾性的に押付けられて導電性ピンと対向電極との間の電気的接触が確保される。また、本発明の接点構造体では、「該ピンの本体部の先端側部分が出入り可能に嵌合された孔部を有する枠体」が設けられているので、ピンの先端部に該ピンの延在方向ないし小径孔部の延在方向に対して横向き（交差する向き）の力がかかっても、剛性本体部が枠体の小径孔部の周壁で支えられるから、導電性ピンの先端部が横にずれるように倒れてしまう虞れがない。
【００１１】
本発明の接点構造体では、典型的には、
前記導電性ピンが、前記剛性本体部よりも大径で該本体部の基端部分に一体的に連結された大径係止部を、更に有し、前記枠体が、前記導電性ピンの前記大径係止部を収容する大径孔部と、該大径孔部と孔部とをつなぐ段差部であって前記導電性ピンの前記大径係止部に当接して前記導電性ピンの先端側部分の突出を規制するものとを、更に有し、前記弾性手段が、前記導電性ピンの前記大径係止部に弾性力を及ぼすように構成されている。
【００１２】
この場合、剛性本体部の先端部分が孔部から突出する向きに弾性手段によって弾性力を受ける導電性ピンが、その大径係止部において、枠体の大径孔部と小径孔部との段差部に当接して先端部の突出が規制されるから、導電性ピンが枠体から抜け落ちる虞れがないだけでなく過度に突出する虞れもない。
【００１３】
本発明の接点構造体では、典型的には、弾性手段が導電体からなる。この場合、弾性手段が導電性ピンと協働して電気的な接点として働く。但し、所望ならば、弾性手段とは別個に、リード線などをピンの基端側に接続しておいてもよい。
【００１４】
本発明の接点構造体では、典型的には、弾性手段がコイルバネからなる。この場合、大きな接点圧力を長期間安定に及ぼし得る。なお、弾性手段としては、コイルバネの代わりに、板バネでも、他のバネでもよく、場合によっては、ゴムの如き弾性材であってもよい。
【００１５】
弾性手段がコイルバネからなる場合であって剛性ピンが大径係止部を有する場合、剛性ピンが、典型的には、大径係止部の基端側にコイルバネの孔に嵌る小径軸部を有する。この場合、コイルバネと剛性ピンとの係合が外れる虞れが少ない。但し、小径軸部はなくてもよく、その場合でも、大径係止部があることにより、コイルバネのバネ力を確実に剛性の導電性ピンに及ぼし得る。
【００１６】
本発明の接点構造体において、典型的には、導電性ピンの剛性本体部の先端が、枠体の小径孔部の延在方向に対して交差する方向（横方向）に、枠体に対して可動な対向電極に押付けられて電気的接触が確保される。但し、場合によっては、対向電極が、枠体に対して前記交差方向（横方向）に可動でなくてもよい。
【００１７】
本発明の接点構造体は、典型的には、腕時計の如き小型の電子時計に用いられる。その場合、電子時計は、例えば、枠体が電池枠からなり、ピンの先端が裏蓋に固定された圧電素子の電極に接触するように構成される。勿論、電子時計の代わりに、腕装着型の携帯情報端末装置の如き腕装着型の電子装置でも、他の小型の電子装置でもよい。
【００１８】
【発明の実施の形態】
次に、本発明の好ましい実施の形態のいくつかを添付図面に示した好ましい実施例に基づいて説明する。
【００１９】
【実施例】
図１から図３には、本発明による好ましい一実施例の接点構造体を備えた電子時計としての腕時計が示されている。
【００２０】
腕時計１の本体部２は、図２に示したように、収容凹部１１及びガラス装着開口１２を備えた胴ないしケース１０を有し、ガラス装着開口１２にはガラス板１３が嵌着される。凹部１１の開口部１４には雌ネジ部１５が形成されている。
【００２１】
本体部２は、更に、中央部が薄肉部２１になるように凹部２２を備えた裏蓋２０を有し、裏蓋２０は、円筒状部２３の先端の外周に雄ネジ部２４を備える。裏蓋２０は、雄ネジ部２４がケース１０の雌ネジ部１５に螺着されてなる螺合・螺着部Ｔにより、ケース１０と協働して、ムーブメントを含む時計部品の収容室Ｓを形成している。
【００２２】
裏蓋２０の円板状の薄肉部２１の内面２５には、ケース１０の中心軸線Ｃからズレた部位に（図３参照）、薄い円板状の圧電素子３０が貼着されている。圧電素子３０は、裏蓋２０の内面２５に密接する側の主面（表面）３１及びその反対側の主面（表面）３２の夫々に、ほぼ全体にわたって拡がった駆動電極を備える。電気的接触を妨げない限り、主面３２側の電極表面には、シリコンオイルの如き摩擦低減剤を塗っておいてもよい。裏蓋２０の凹部２２の底壁の全体が薄肉部２１である代わりに底壁の一部が後述の圧電素子３０と共に振動する薄肉部になる場合、薄肉部の中心軸線の位置は本体部２の中心軸線Ｃからズレていてもよい。薄肉部２１に貼着される圧電素子３０は円形でなくてもよい。
【００２３】
室Ｓには、液晶パネル４や回路基板５が配設されている。時計１が、アナログ式の時計の場合、液晶パネル４やデジタル式時計用の回路基板５の代わりに、アナログ式時計用の回路基板を含むムーブメントや時刻表示針等が配設される。
【００２４】
回路基板５の背面側には、電池収容凹部４１及び接点端子収容孔部４２を備えた電池枠４０が配置され、電池収容凹部４１には、ボタン型電池５０が配設される。電池５０としては、容量が最大限になるように、他の部品の配設を妨げない範囲で、ケース１０の凹部１１に収容可能な最大径のものが選択され、典型的には、ケース１０の凹部１１の半径よりも大きい直径を有する。ほぼ円筒状の電池収容凹部４１は、図３に示したように、その中心軸線Ｃ２がケース１０の凹部１１の中心軸線Ｃからズレた位置に形成される。中心軸線Ｃ２は、また、圧電素子３０の中心軸線Ｃ１からもズレている。電池５０は、該電池５０の一方の接点電極端子を兼ねた電池押さえ５１により電池収容凹部４１内に保持される。電池の他方の電極端子は、電池収容凹部４１の底面又は周面に配置される。電池収容凹部４１がケース１０の凹部１１の半径よりも大きい直径を有するので、接点端子収容孔部４２は、ケース１０の中心軸線Ｃから相当離れたところに位置する。
【００２５】
圧電素子３０の表面３２と電池枠４０の対向表面４４との間には、圧電素子３０のＡ１，Ａ２方向の膜振動を許容するように、間隙Ｇが形成されている。この間隙Ｇの大きさは、例えば、０．５ｍｍ程度である。但し、間隙Ｇは、１ｍｍ程度又はそれ以上でもよく、場合によっては、０．５ｍｍ程度より小さくてもよい。また、間隙Ｇの大きさが、一定である代わりに、部位によって異なっていてもよい。
【００２６】
接点端子収容孔部４２は、図１に拡大して示したように、電池枠４０の凹部４１の周囲の厚肉部４３のうち圧電素子３０に対面する側の表面４４で開口したピン案内孔部としての小径孔部４５と、該小径孔部４５と同軸に形成され該小径孔部４５の表側の端部において該小径孔部４５に連通した大径孔部４６とからなり、小径孔部４５と大径孔部４６との境界には、段差部４７が形成されている。大径孔部４６の端部は、電池枠４０の厚肉部４３のうち回路基板５に対面する側の表面４８で開口している。なお、回路基板５のうち、大径孔部４６に対面する部分には、圧電素子３０に対する駆動信号供給用の接点端子５ａが形成されている。
【００２７】
接点端子収容孔部４２には、リード端子ないし接点構造体本体部６０が配設されている。接点構造体本体部６０は、剛性の導電性ピン７０と、弾性手段としてのコイルバネ８０とを有する。
【００２８】
剛性導電性ピン７０は、細長い剛性本体部７１と、該剛性本体部７１の基端側に一体的に形成されたバネ受部としての大径係止部ないしフランジ状部７２と、該大径係止部７２の基端側に一体的に形成された係合突起部７３とを有する。
【００２９】
剛性本体部７１は、円柱状の本体軸部７４と、該本体軸部７４よりも小径で丸みのあるドーム状先端部７５を備えた接点軸部７６と、本体軸部７４及び接点軸部７６をつなぐ円錐台状の接続軸部７７とを備え、三つの軸部７４，７６，７７は、同軸である。但し、所望ならば、軸部７６が軸部７４に対して偏心していてもよい。
【００３０】
本体軸部７４は、孔部４２の小径孔部４５を自由に出入りし得るように、小径孔部４５の径Ｄｈ１よりも少し小さい径Ｄｐ１を有する。小径孔部４５の径Ｄｈ１は、典型的には、０．５ｍｍ程度〜１ｍｍ程度である。但し、所望ならば、０．５ｍｍ程度よりも更に小さくても、１ｍｍ程度よりも更に大きくてもよい。小径孔部４５の径Ｄｈ１が０．５ｍｍ程度〜１ｍｍ程度の場合、本体軸部７４の径Ｄｐ１は、典型的には、小径孔部４５の径よりも０．１ｍｍ程度小さい。但し、本体軸部７４が小径孔部４５に対して過度に傾動するのを避け得る限り径の差異がより大きくてもよく、また、本体軸部７４が小径孔部４５内でＡ１，Ａ２方向に実際上自由に動き得る限り、径の差異がより小さくてもよい。
【００３１】
なお、小径孔部４５の長さは、径と同程度である。但し、小径孔部４５は、導電性ピン７０が該小径孔部４５の中心軸線Ｃ３に対して大きく傾くのを禁止し得るように、小径孔部４５の径Ｄｈ１と本体軸部７４の径Ｄｐ１との差異（隙間の大きさ）と比較して十分に大きい長さを有する。
【００３２】
大径係止部７２は、剛性本体部７１の本体軸部７４の基端と一体的に形成された鍔ないしフランジ状の大径円板状部からなり、この大径係止部ないしフランジ状部７２も軸部７４，７６，７７と同軸に形成されている。
【００３３】
フランジ状部７２は、孔部４２の大径孔部４６内で軸線Ｃ３の延在方向に沿ってＡ１，Ａ２方向に自由に移動し得るように、大径孔部４６の径Ｄｈ２よりも少し小さい径Ｄｐ２を有する。なお、先端側端面７２ａが段差部４７において端壁４７ａに当接してＡ１方向移動が規制されるように、フランジ状部７２の径Ｄｐ２は、小径孔部４５の径Ｄｈ１よりも十分大きい。本体軸部４５の径Ｄｐ１が０．５ｍｍ程度〜１ｍｍ程度である場合、フランジ状部７２の径Ｄｐ２は、１ｍｍ程度又はそれより僅かに大きい程度である。但し、大径孔部４６の内壁４６ａに当たって導電性ピン７０の過度な傾動を規制し得、段差部４７の端壁４７ａに確実に当接してＡ１方向移動を規制し得、且つコイルバネ８０の端部８１を端面ないし主面７２ｂで確実に受け得る限り、その径Ｄｐ２は、より小さくてもよい。また、コイルバネ８０が湾曲したり蛇行するのを避け得る限り、フランジ状部７２の径Ｄｐ２や大径孔部４６の径Ｄｈ２はより大きくてもよい。コイルバネ８０は、例えば、太さが０．１ｍｍ程度のステンレス鋼線からなる。但し、バネ８０の素材は他の材料でもよく、バネ８０の線材の太さは、より太くてもより細くてもよい。特に、バネ８０は間隙Ｇには達しないので、バネ８０が十分な大きさのＡ１方向の接点圧力を確実に与え得る限り、バネ８０の線材の細さは問わない。
【００３４】
係合突起部７３は、剛性本体部７１の接点軸部７６よりも小径の円柱状部からなり、その基端部は面取りされている。但し、コイルバネ８０の先端部８１内に容易に嵌込んでコイルバネ８０の先端部８１の位置ズレを禁止し得る限り、その径や形状は異なっていてもよい。コイルバネ８０が座屈様に変形されて孔部４６内で引っかかる虞れがあるような場合には、それを避けるべく、係合突起部７３をより長くしてもよい。なお、バネ８０がバネ受け用の大径フランジ状部７２から外れる虞れがない場合には、係合突起部７３はなくてもよい。
【００３５】
コイルバネ８０は、円筒形状を有し、図１及び図２からわかるように、一端部８２において回路基板５の接点パッド５ａに押付けられ、他端部８１において導電性ピン７０の係合突起部７３に遊嵌されてフランジ状部７２の環状背面７２ｂに押付けられた状態で大径孔部４６内に収容されている。コイルバネ８０は、大径孔部４６よりも少し小さい外径を備えて大径孔部４６内において大きな座屈様変形が生じない程度に遊嵌され、導電性ピン７０の係合突起部７３に容易且つ確実に嵌り得るように、係合突起部７３の外径よりも十分に大きい内径を有する。コイルバネ８０は、また、フランジ状バネ受部７２によって確実に係止され得るように、該フランジ状部７２よりも十分に小さい外径を有する。但し、円筒状コイルバネ８０の中央孔にフランジ状部７２が嵌り込む虞れがない限り、コイルバネ８０の外径がフランジ状部７２の外径と同程度又はそれ以上でもよい。
【００３６】
以上において、接点構造体８は、導電性ピン７０及びコイルバネ８０を含む接点構造体本体部６０と、電池枠４０の孔部４２（又は電池枠４０のうち孔部４２の周壁部分）とからなる。
【００３７】
次に、以上の如く構成された時計１の接点構造体８等の組立てについて、図１から図３に加えて、図４に基づいて説明する。
【００３８】
上述のような構造の接点構造体８を時計１に組込んで時計１を組立てる場合には、例えば、電池枠４０の主面４８が主面４４よりも上に位置するように電池枠４０を保持した状態で、ピン７０を組み込む。即ち、該電池枠４０の孔部４２に大径孔部４６の側から導電性ピン７０の接点軸部７６を差込んで該孔部４２内にピン７０を落とす。次に、大径孔部４６の側からコイルバネ８０を組み込む。即ち、大径孔部４６の側からコイルバネ８０の先端部８１を孔部４２に差し込んでコイルバネ８０を該孔部４２内に落とす。このとき、導電性ピン７０は、先端部７５が滑らかな凸状に湾曲突出しているので、ドーム状先端部７５が段差部４７の端壁４７ａの内周縁で案内されて小径孔部４５内に入り該孔部４５を貫通して突出する。導電性ピン７０は、フランジ状大径部７２の面７２ａが段差部４７の端壁４７ａに当たって、とまる。また、孔部４２内に落ち込んだコイルバネ８０は、先端部８１の端面部分が導電性ピン７０のフランジ状大径部７２の背面７２ｂに当たる際に導電性ピン７０の係合突起部７３に遊嵌される。この状態では、コイルバネ８０の端部８２は、主面４８のところで、孔部４２の大径孔部４６から突出する。
【００３９】
導電性ピン７０及びコイルバネ８０からなる接点構造体本体６０が電池枠４０の孔部４２に挿設された状態で、次に、コイルバネ８０の端部８２を孔部４６内に押し込むように、主面４８上に回路基板５を載置して相互に固定する。この固定に際しては、所望に応じて、液晶パネル４などの他の部品も同時に相互に固定され得る。電池枠４０への回路基板５の固定の際、電池枠４０の主面４８に対して回路基板５の主面５ｂが密接され、回路基板５の電極パッド部５ａが丁度孔部４２に対面する部位に位置決めされて、コイルバネ８０の端部８２に押付けられう。このとき、コイルバネ８０が回路基板５によってＡ１方向に押圧されて圧縮変形されると共に導電性ピン７０をフランジ状部７２の面７２ａが孔部４２の段差部４７の端面４７ａにＡ１方向に押付けて、導電性ピン７０の小径接点軸部７６を枠体４０の主面４４から突出した状態に保つ。
【００４０】
次に、ケース１０の凹部１１内に液晶パネル４や回路基板５や電池枠４０等からなる時計本体部分を載置し、最後に、圧電素子３０が貼着された裏蓋２０をケース１０にねじ込む。裏蓋２０の雄ネジ部２４とケース１０の雌ネジ部１５との螺合が進むにつれて、圧電素子３０の内側表面３２の電極が導電性ピン７０の接点軸部７６のドーム状先端部７５に接触して、該ドーム状先端部７５に対してＢ１方向に摺動されつつ導電性ピン７０をコイルバネ８０のＡ１方向のバネ力に抗してＡ２方向に押し込む。
【００４１】
このとき、図４に示したように、導電性ピン７０の接点軸部７６の先端部７５が摩擦力によってＢ１方向に引っ張られる。その結果、導電性ピン７０は、孔部４２内で、Ｆ１方向に傾動されるけれども、導電性ピン７０が剛性を有するので、剛性本体部７１の本体軸部７４の先端部７４ａが枠体４０の孔部４２の小径孔部４５の周壁４５ａの一側４５ｂに当たると共に導電性ピン７０のフランジ状部７２の基端部７２ｃが大径孔部４６の周壁４６ａの一側４６ｂに当たって孔部４２の周壁４５ｂ，４６ｂによって支えられるから、導電性ピン７０（の接点軸部７６）が圧電素子３０の表面３２と電池枠４０の対向表面４４との間の間隙Ｇ内に入り込んで裏蓋２０の螺入・締付けを妨げたり圧電素子３０を傷つけたりする虞れがない。なお、孔部４５が比較的長くて、フランジ状受部７２が大径孔部４６の周壁部４６ｂに当たる前に、本体軸部７４の基端側部分が小径孔部４５の基端ないし段差部４７の内周縁に当たって、導電性ピン７０の傾動が規制されるようになっていてもよい。いずれの場合でも、コイルバネ８０が図７のコイルバネ１０５のような延設端部１０３ａを備えていなくても、コイルバネ８０がＡ１方向に引っ張られる虞れがないから、コイルバネ８０の端部８２と回路基板５の電極部５ａとの間の電気的接触は確保され得る。
【００４２】
以上において、導電性ピン７０の接点軸部７６の先端部７５は、裏蓋２０がＢ１方向に閉められたりＢ２方向に開かれるに際して、摩擦係合状態で引っかかるような角部が実際上ない限り、中心軸線Ｃ４に対して垂直な平面を備えていてもよい。但し、その場合、角部が面取りされていることが好ましく、面取り部が丸いことがより好ましい。また、導電性ピン７０の先端部７５は、孔部４２の大径孔部４６に導電性ピン７０が挿入され落とされた際に、導電性ピン７０が孔部４２の延在方向に対して斜めになって段差部４７の端壁４７ａに先端部７５が引っかかってしまうのを避け得るようになっていればよい。従って、導電性ピン７０の先端部７５に中心軸線Ｃ４に対して垂直な平面部がある場合には、段差部４７の端壁ないし端面４７ａは、好ましくは、中心軸線Ｃ３に対して垂直な環状平面である代わりに、小径孔部４５に近接する程小径になるように傾斜した円錐台状周面の形態を採ることが好ましい。また、大径孔部４６や小径孔部４５のうちのいずれか一方又は両方も、径が一定の円柱状（周面についていえば円筒状）である代わりに、裏蓋に近接する側ほど小径になった円錐台状であってもよい。その場合、導電性ピン７０の軸部７４も、先端側ほど細い円錐台状形状を採ることが好ましい。
【００４３】
以上においては、導電性ピン７０が、電池枠４０の主面４８側から挿入される例について説明したけれども、例えば、電池枠４０に大径孔部４６と同一径の貫通孔を形成しておき、円筒状スペーサを主面４４側から該孔部に嵌着させて該円筒状スペーサの中央孔によって小径孔部を形成するような場合には、コイルバネ８０及び導電性ピン７０を貫通孔に主面４４側から挿設した後、該主面４４側から円筒状スペーサを嵌着して、接点構造体本体６０を組み込むようにしてもよい。
【００４４】
また、以上においては、弾性手段がコイルバネからなる例について説明したけれども、弾性手段は、コイルバネの代わりに、例えば、板バネの如き他のバネでもよく、場合によっては、ゴムなどの弾性材であってもよい。
【００４５】
図５には、弾性手段として、板バネを備えた接点構造体が示されている。図５の例において、図１から図４に示した例と同一又は同様な部材には、同一の符号が付され、部分的に異なる部材には同一の符号の後に、符号「ｈ」が付されている。
【００４６】
図５に示した接点構造体８ｈは、導電性ピン７０ｈ及び板バネ９０からなる接点構造体本体部６０ｈと、孔部４２ｈを備えた枠体４０ｈとからなる。
【００４７】
導電性ピン７０ｈは、基端側に係合突起部７３を欠きフランジ状部７２ｈの端面７２ｂｈの全体が平面状になっている点を除き図１から図４に示した導電性ピン７０と同様な形状及び構造を有する。
【００４８】
電池枠４０の孔部４２ｈは、大径孔部４６が短い孔部４６ｈになっている点及び大径孔部４６ｈの基端側により大きいバネ受容凹部４９を備える点を除いて、図１から図４に示した孔部４２と同様な形状及び構造を有する。
【００４９】
回路基板５ｈは、孔部４２ｈに対応する部位にバネ受容開口部５ｂを有し、該開口部５ｂの一側に接続端子部５ａｈを備える点を除いて、図１から図４に示した回路基板５と同様な形状及び構造を有する。
【００５０】
板バネ９０は、直線状ないし平面状の基部９１と、該基部９１の先端９２から斜めに延びた斜行部９３と、該斜行部９３の先端において「く」の字状に湾曲した押圧端部９４とを有し、基部９１の基端側部分９５で回路基板５ｈに固定されると共に接続端子部５ａｈに電気接続され、斜行部９３が開口部５ｂ及び凹部４９内に延び、押圧端部９４が凸状湾曲部９６で導電性ピン７０ｈのフランジ状部７２ｈの端面７２ｂｈに対してＡ１方向のバネ力を及ぼす。
【００５１】
なお、図５に示したように、裏蓋２０を所定位置に取り付けて、裏蓋２０の内面にある圧電素子３０と電池枠４０との間隙Ｇがある程度小さくなった際に、バネ９０が所定のバネ力で導電性ピン７０ｈの先端部７５を圧電素子３０に押付け得且つ導電性ピン７０ｈが孔部４２ｈから離脱するのを防ぎ得る限り、例えば、裏蓋２０が取外された状態では、導電性ピン７０ｈに対してバネ力がかからなくてもよい。
【００５２】
以上のように構成された接点構造体８ｈにおいて、導電性ピン７０ｈの剛性本体部７１が、図１から図４に示した接点構造体８の導電性ピン７０の剛性本体部７１と実際上同様な動作条件下にあるので、接点構造体８ｈは、接点構造体８と同様に、裏蓋２０のＢ１，Ｂ２方向の開閉に伴って導電性ピン７０ｈの先端部７５にＢ１，Ｂ２方向の力がかかっても、接点がズレたり損傷を受けることなく、安定に電気的接触を確保し得る。
【００５３】
組立てに際して、導電性ピン７０ｈを孔部４２ｈに挿設しておいた上で、電池枠４０ｈの回路基板５ｈを取り付けることは、図１から図４に示した例の場合と同様である。なお、例えば、電池枠４０ｈと回路基板５ｈとを固定した後で板バネ９０を回路基板５ｈに組み付けるような場合には、当然ながら、電池枠４０ｈと回路基板５ｈとの固定後に導電性ピン７０ｈを孔部４２ｈに配置してもよい。
【００５４】
図５に示した例では、板バネ９０の基部９１が回路基板５ｈのうち電池枠４０とは反対側の面に取り付けられているけれども、電池枠４０に接触する側の面に取り付けられるようになっていてもよい。
【図面の簡単な説明】
【図１】本発明による好ましい一実施例の接点構造体の拡大断面説明図。
【図２】図１の接点構造体を備えた腕時計の断面説明図。
【図３】図２の腕時計において接点構造体に関連する部材等の回転中心位置の如き相対配置を示した平面説明図。
【図４】図１の接点構造体において裏蓋の螺合に伴う導電性ピンの動きを示した図１と同様な断面説明図。
【図５】本発明による変形例の接点構造体についての図１と同様な断面説明図。
【図６】従来の接点構造体に関する図１と同様な断面説明図。
【図７】従来の別の接点構造体に関する図１と同様な断面説明図。
【符号の説明】
１  時計
２  時計本体部
５，５ｈ  回路基板
８，８ｈ  接点構造体
２０  裏蓋
３０  圧電素子
４０，４０ｈ  電池枠
４２，４２ｈ  孔部
４５  小径孔部
４６，４６ｈ  大径孔部
４７  段差部
４９  凹部
５０  電池
６０，６０ｈ  接点構造体本体
７０，７０ｈ  導電性ピン
７１  剛性本体部
７２  フランジ状部（大径係止部）
７３  係合突起部
７４  本体軸部
７５  先端部
７６  接点軸部
８０  コイルバネ
９０  板バネ
【図１】
2004347498.tif 000003
【図２】
2004347498.tif 000004
【図３】
2004347498.tif 000005
【図４】
2004347498.tif 000006
【図５】
2004347498.tif 000007
【図６】
2004347498.tif 000008
【図７】
2004347498.tif 000009